(57)【特許請求の範囲】
【請求項１】
横方向に伸びていて当該横方向の両端から当該横方向でそれぞれ突出する回転中心軸を備えているローラーを下側から支持する下部フレーム構造であって、前記横方向に直交する前後方向に伸び、上側が平坦面になっていて前記ローラーの回転中心軸をそれぞれ前記下側から支承するローラー支持部を前記横方向の両端側に備えている下部フレーム構造が前記横方向及び前記前後方向で複数個隣接配置されてなる下部フレームと、
前記下部フレームを構成している各下部フレーム構造に対してそれぞれ上側から装着され、前記ローラーの回転中心軸が前記ローラー支持部に回転可能に支持されている箇所及び前記各下部フレーム構造を上側から覆い、前記各下部フレーム構造に対して前記上側から装着された際に、前記ローラー支持部に回転可能に支持されている前記ローラーの周壁面の上側を露出させる開口部を複数個備えている上部フレーム構造が前記横方向及び前記前後方向で複数個隣接配置されてなる上部フレームと、
前記下部フレームを構成する各下部フレーム構造に、前記ローラーが、前記上部フレームが備えている前記複数個の開口部に対応する位置で複数個配置されている前記下部フレームに対して前記上部フレームを構成する各上部フレーム構造が装着されて上下に組み合わされている前記下部フレーム構造と前記上部フレーム構造とを、前記前後方向で隣接していて上下に組み合わされている他の前記下部フレーム構造と前記上部フレーム構造とに結合する複数本のフレーム支持体とを備えていて、
前記下部フレームに対して上側から装着された状態の前記上部フレームの上側面の高さ位置が前記ローラー支持部に回転可能に支持されている前記ローラーの周壁面の上側の高さ位置よりも低く設定されており、
前記フレーム支持体は前記横方向及び前記前後方向で隣接している複数個の上下に組み合わされている前記下部フレーム構造と前記上部フレーム構造とを横断するように前記下部フレーム及び前記上部フレームに対して前記横方向から挿入されることで、前記上下に組み合わされている前記下部フレーム構造と前記上部フレーム構造とを結合すると同時に、上下に組み合わされている前記下部フレーム構造と前記上部フレーム構造とを前記前後方向で隣接していて上下に組み合わされている他の前記下部フレーム構造と前記上部フレーム構造とに結合する
ことを特徴とする商品陳列棚構造。
【請求項２】
横方向に伸びていて当該横方向の両端から当該横方向でそれぞれ突出する回転中心軸を備えているローラーを下側から支持する下部フレーム構造であって、前記横方向に直交する前後方向に伸び、上側が平坦面になっていて前記ローラーの回転中心軸をそれぞれ前記下側から支承するローラー支持部を前記横方向の両端側に備えている下部フレーム構造が前記横方向及び前記前後方向で複数個隣接配置されてなる下部フレームと、
前記下部フレームを構成している各下部フレーム構造に対してそれぞれ上側から装着され、前記ローラーの回転中心軸が前記ローラー支持部に回転可能に支持されている箇所及び前記各下部フレーム構造を上側から覆い、前記各下部フレーム構造に対して前記上側から装着された際に、前記ローラー支持部に回転可能に支持されている前記ローラーの周壁面の上側を露出させる開口部を複数個備えている上部フレーム構造が前記横方向及び前記前後方向で複数個隣接配置されてなる上部フレームと、
前記下部フレームを構成する各下部フレーム構造に、前記ローラーが、前記上部フレームが備えている前記複数個の開口部に対応する位置で複数個配置されている前記下部フレームに対して前記上部フレームを構成する各上部フレーム構造が装着されて上下に組み合わされている前記下部フレーム構造と前記上部フレーム構造とを、前記横方向で隣接していて上下に組み合わされている他の前記下部フレーム構造と前記上部フレーム構造とに結合する複数本のフレーム支持体とを備えていて、
前記下部フレームに対して上側から装着された状態の前記上部フレームの上側面の高さ位置が前記ローラー支持部に回転可能に支持されている前記ローラーの周壁面の上側の高さ位置よりも低く設定されており、
前記フレーム支持体は前記横方向及び前記前後方向で隣接している複数個の上下に組み合わされている前記下部フレーム構造と前記上部フレーム構造に対して前記前後方向から挿入されることで、前記上下に組み合わされている前記下部フレーム構造と前記上部フレーム構造とを結合すると同時に、上下に組み合わされている前記下部フレーム構造と前記上部フレーム構造とを前記横方向で隣接していて上下に組み合わされている他の前記下部フレーム構造と前記上部フレーム構造とに結合する
ことを特徴とする商品陳列棚構造。
【請求項３】
前記横方向で隣接する前記ローラー同士の間に位置する前記上部フレームの上側面に、前記ローラー支持部に回転可能に支持されている前記ローラーの周壁面の上側の高さ位置にまで突出する第一突起部が形成されている
ことを特徴とする請求項１又は２記載の商品陳列棚構造。
【請求項４】
前記前後方向で隣接する前記開口部の間に位置する前記上部フレームの上側面に、前記ローラー支持部に回転可能に支持されている前記ローラーの周壁面の上側の高さ位置にまで突出する第二突起部が形成されている
ことを特徴とする請求項１乃至３のいずれか一項記載の商品陳列棚構造。
【発明の詳細な説明】
【技術分野】
【０００１】
この発明は、商品陳列棚構造に関し、特に、コンビニエンスストアーやスーパーなどにおけるショーケースに使用される商品陳列棚の構造に関する。
【背景技術】
【０００２】
コンビニエンスストアーやスーパーなどにおけるショーケースでは、ショーケースの商品陳列棚の手前側（前方）に陳列されている商品を取り出した際に、商品陳列棚の奥側（後方）に陳列されている複数の商品が、自動的に、ショーケースの奥側（後方）からショーケースの手前側（前方）に向けて前後方向で移動可能になっている商品陳列棚が採用されている。
【０００３】
このような商品陳列棚については従来から多数の提案がされている（例えば、特許文献１）。
【０００４】
特許文献１で提案されているものは、商品等の移動方向と直角方向に商品等を支持するための複数のローラーを下部支持枠と上部支持枠とで回転自在に支持し、支持した状態で前記各ローラーの少なくとも頂部が上部支持枠から上方に露出している形態を備えている商品等の移送装置である。かかる形態の移送装置において、商品等の移動方向に隣接する前記各ローラーの軸間距離が前記ローラーの直径の２倍以上で、前記上部支持枠は前記各ローラーの頂部を結ぶ仮想平面より下方位置に各隣接するローラー間の隙間を閉鎖する閉鎖用平板を備える構造になっている。
【０００５】
各ローラーの軸間距離をローラーの直径の２倍以上とすることにより、商品等がローラー上を移動するときに、当該商品等の底面が接しているローラーの本数を、従来のものと比較して少なくすることができる。これによって、ローラー上を商品等が移動するときに生じる装置側の抵抗を小さくすることができるとしている。また、上部支持枠が各ローラーの頂部を結ぶ仮想平面よりわずかに下方に位置する閉鎖用平板を備えていることにより、商品等の移動方向先端部がローラーとローラーとの間の隙間部に入り込んで転倒するようなことを確実に阻止できるとしている。更に、各ローラーの軸間距離をローラーの直径の２倍以上としたことで、従来の商品等の移送装置と比較して、商品等の移動方向での単位距離あたりでのローラー本数を少なくすることができ、製造原価の低減ももたらされるとしている。
【０００６】
更に、前記閉鎖用平板が、商品等の移動方向に適数の上に凸の縦リブを備える構造にすると、閉鎖用平板の短手方向（幅方向）の反り（たわみ）に対する強度を大きくすることができる。これによって、商品等が傾いたときに、その傾きを確実に是正することができるようになるとしている。また、商品等が移動中に、商品等の底面が閉鎖用平板に接することがあっても、縦リブの頂部のみとの接触であり、摩擦抵抗に大きな増加が生じないので、安定した移動をそのまま継続することができるとしている。
【先行技術文献】
【特許文献】
【０００７】
【特許文献１】特開２０１４−５１３５５号公報
【発明の概要】
【発明が解決しようとする課題】
【０００８】
ショーケースの商品陳列棚の手前側（前方）に陳列されている商品を取り出した際に、商品陳列棚の奥側（後方）に陳列されている複数の商品が、自動的に、ショーケースの奥側（後方）からショーケースの手前側（前方）に向けて前後方向で移動可能になっている商品陳列棚においては、前述した商品の自動的な移動がよりスムーズに行われるようにする点において改善する余地がある。
【０００９】
また、商品陳列棚の強度、剛性、耐性などの特性や、清掃時、取り換え時などにおける取扱性の面においてもこれらを向上、改善させる余地が残っている。
【００１０】
本発明は、ショーケースの商品陳列棚の手前側（前方）に陳列されている商品を取り出した際に、商品陳列棚の奥側（後方）に陳列されている複数の商品が、自動的に、ショーケースの奥側（後方）からショーケースの手前側（前方）に向けて前後方向で移動する動作がよりスムーズに行われる商品陳列棚構造を提案することを目的にしている。
【００１１】
また、強度、剛性、耐性などの特性や、清掃時、取り換え時などにおける取扱性が向上している商品陳列棚構造を提案することを目的にしている。
【課題を解決するための手段】
【００１２】
横方向に伸びていて当該横方向の両端から当該横方向でそれぞれ突出する回転中心軸を備えているローラーを下側から支持する下部フレーム構造であって、前記横方向に直交する前後方向に伸び、上側が平坦面になっていて前記ローラーの回転中心軸をそれぞれ前記下側から支承するローラー支持部を前記横方向の両端側に備えている下部フレーム構造が前記横方向及び前記前後方向で複数個隣接配置されてなる下部フレームと、
前記下部フレームを構成している各下部フレーム構造に対してそれぞれ上側から装着され、前記ローラーの回転中心軸が前記ローラー支持部に回転可能に支持されている箇所及び前記各下部フレーム構造を上側から覆い、前記各下部フレーム構造に対して前記上側から装着された際に、前記ローラー支持部に回転可能に支持されている前記ローラーの周壁面の上側を露出させる開口部を複数個備えている上部フレーム構造が前記横方向及び前記前後方向で複数個隣接配置されてなる上部フレームと、
前記下部フレームを構成する各下部フレーム構造に、前記ローラーが、前記上部フレームが備えている前記複数個の開口部に対応する位置で複数個配置されている前記下部フレームに対して前記上部フレームを構成する各上部フレーム構造が装着されて上下に組み合わされている前記下部フレーム構造と前記上部フレーム構造とを、前記前後方向で隣接していて上下に組み合わされている他の前記下部フレーム構造と前記上部フレーム構造とに結合する複数本のフレーム支持体とを備えていて、
前記下部フレームに対して上側から装着された状態の前記上部フレームの上側面の高さ位置が前記ローラー支持部に回転可能に支持されている前記ローラーの周壁面の上側の高さ位置よりも低く設定されており、
前記フレーム支持体は前記横方向及び前記前後方向で隣接している複数個の上下に組み合わされている前記下部フレーム構造と前記上部フレーム構造とを横断するように前記下部フレーム及び前記上部フレームに対して前記横方向から挿入されることで、前記上下に組み合わされている前記下部フレーム構造と前記上部フレーム構造とを結合すると同時に、上下に組み合わされている前記下部フレーム構造と前記上部フレーム構造とを前記前後方向で隣接していて上下に組み合わされている他の前記下部フレーム構造と前記上部フレーム構造とに結合する
あるいは、
前記フレーム支持体は前記横方向及び前記前後方向で隣接している複数個の上下に組み合わされている前記下部フレーム構造と前記上部フレーム構造に対して前記前後方向から挿入されることで、前記上下に組み合わされている前記下部フレーム構造と前記上部フレーム構造とを結合すると同時に、上下に組み合わされている前記下部フレーム構造と前記上部フレーム構造とを前記横方向で隣接していて上下に組み合わされている他の前記下部フレーム構造と前記上部フレーム構造とに結合する
ことを特徴とする商品陳列棚構造。
【００１３】
このような構造によって前記課題が解決されている。
【発明の効果】
【００１４】
この発明によれば、ショーケースの商品陳列棚の手前側（前方）に陳列されている商品を取り出した際に、商品陳列棚の奥側（後方）に陳列されている複数の商品が、自動的に、ショーケースの奥側（後方）からショーケースの手前側（前方）に向けて前後方向で移動する動作がよりスムーズに行われる商品陳列棚構造を提供することができる。
【００１５】
また、強度、剛性、耐性などの特性や、清掃時、取り換え時などにおける取扱性が向上している商品陳列棚構造を提供することができる。
【図面の簡単な説明】
【００１６】
【図１】本発明の一実施形態に係る商品陳列棚構造を構成する部材を説明する一部を省略した分解側面図である。
【図２】複数個のローラーがそれぞれ下部フレームによって下側から回転可能に支承されることにより前後方向で互いに隣接して複数列配備されると共に、前後方向に直交する横方向で互いに隣接して複数列配備されている状態を説明する概略斜視図である。
【図３】複数個のローラーを下側から支持している状態の下部フレームに対して上側から装着されている上部フレームと、下部フレームとを、フレーム支持体によって結合する状態を、上部フレームの一部を省略してローラーが下部フレームに支持されている状態で説明する一部を省略した側面図で、（ａ）はフレーム支持体が挿入される前、（ｂ）はフレーム支持体が挿入された状態を表す図である。
【図４】（ａ）、（ｂ）はそれぞれ図３（ａ）、（ｂ）に対応している図であって、複数個のローラーを下側から支持している状態の下部フレームに対して上部フレームが上側から装着されてローラーの回転中心軸のみが見えている状態を説明する一部を省略した図である。
【図５】商品陳列棚構造の一実施形態において、複数個のローラーを下側から支持している状態の下部フレームに対して上側から装着された上部フレームと、下部フレームとに対して、両者を上下方向で結合するべく、フレーム支持体が挿入される状態を説明する一部を省略した斜視図である。
【図６】商品陳列棚構造の一実施形態において、複数個のローラーを下側から支持している状態の下部フレームに対して上側から装着された上部フレームと、下部フレームとに対して、両者を上下方向で結合するべく、フレーム支持体が挿入される他の状態を説明する一部を省略した斜視図である。
【図７】商品陳列棚構造の一実施形態において、上部フレームの上側面とローラーの周壁面の上側の高さ位置の関係及び、上部フレームの上側面に形成されている第一突起部、第二突起部の先端とローラーの周壁面の上側の高さ位置の関係を説明する図である。
【図８】本発明の他の実施形態に係る商品陳列棚構造を構成する部材を説明する一部を省略した分解正面図である。
【図９】商品陳列棚構造の他の実施形態において、複数個のローラーを下側から支持している状態の下部フレームに対して上側から装着された上部フレームと、下部フレームとに対して、両者を上下方向で結合するべく、フレーム支持体が挿入される状態を説明する一部を省略した斜視図である。
【図１０】図８図示の構成部材からなる商品陳列棚構造の実施形態における上部フレームの上側面とローラーの周壁面の上側の高さ位置の関係及び、上部フレームの上側面に形成されている第一突起部の先端とローラーの周壁面の上側の高さ位置の関係を説明する図である。
【図１１】本発明の実施形態に係る商品陳列棚構造が採用される商品陳列棚の一例を説明する斜視図である。
【発明を実施するための形態】
【００１７】
本実施形態の商品陳列棚構造は、複数個のローラーと、下部フレームと、上部フレームと、複数のフレーム支持体を備えている。
【００１８】
前記複数個のローラーは、それぞれ、前記下部フレームによって下側から回転可能に支承され、前後方向で互いに隣接して複数列配備されると共に、前記前後方向に直交する横方向で互いに隣接して複数列配備される。
【００１９】
前記上部フレームは、前記複数個のローラーを下側から支持している状態の前記下部フレームに対して上側から装着される。装着されることにより、前記複数のローラーの上側周壁面を前記上部フレームが備えている複数の開口部を介してそれぞれ露出させる一方、前記ローラーの前記横方向における両端部から前記横方向に突出する回転中心軸が前記下部フレームに回転可能に支持されている箇所及び前記下部フレームを上側から覆う構造になっている。これによって、上述したように、前後方向で互いに隣接して複数列配備されると共に、前後方向に直交する横方向で互いに隣接して複数列配備されている複数個のローラーの間の隙間は、前記上部フレームによって閉鎖される。
【００２０】
前記複数のフレーム支持体は、前記複数個のローラーを下側から支持している状態の前記下部フレームに対して上側から装着されている上部フレームと、前記下部フレームとを結合する。
【００２１】
そして、本発明の商品陳列棚構造では、前記上部フレームの上側面の高さ位置が、前記下部フレームによって下側から回転可能に支承されている前記複数のローラーの周壁面の上側の高さ位置よりも低く設定されている。また、横方向で隣接するローラー同士の間に位置する前記上部フレームの上側面に、前記ローラーの周壁面の上側の高さ位置にまで突出する第一突起部が形成されている。
【００２２】
本実施形態の商品陳列棚構造では、上述したように、複数個のローラーを下側から支持している状態の下部フレームに対して上側から装着されている上部フレームと、下部フレームとが複数のフレーム支持体によって結合される。
【００２３】
これによって、強度、剛性、耐性などの特性が向上している商品陳列棚構造を簡単に提供することができる。例えば、上下で組み合わされる上部フレーム及び、下部フレームをそれぞれ合成樹脂製とし、フレーム支持体をアルミニウム製にして、上部フレームと下部フレームとを結合するようにして、強度、剛性、耐性などの特性が向上している商品陳列棚構造を提供することができる。
【００２４】
上部フレーム、下部フレームは、それぞれ、複数個の上部フレーム構造を前後方向及び横方向に隣接配置させて、また、複数個の下部フレーム構造を前後方向及び横方向に隣接配置させて構成することができる。
【００２５】
このようにして構成されている上部フレーム、下部フレームを間にローラーを介在させて上下で組み合わせ、前後方向に所定の間隔をあけて横方向からフレーム支持体を挿入する、あるいは、横方向に所定の間隔をあけて前後方向からフレーム支持体を挿入して本実施形態の商品陳列棚構造とすることができる。
【００２６】
これによって、強度、剛性、耐性などの特性が向上している商品陳列棚構造を簡単に提供することができるとともに、必要に応じて、上部フレームや、所望の箇所の上部フレーム構造、また、下部フレームや、所望の箇所の下部フレーム構造を簡単に取り換えることができる。このため、清掃時、取り換え時などにおける取扱性が向上している商品陳列棚構造を提供することができる。
【００２７】
このような構造からなる商品陳列棚構造の一実施形態を、以下、添付図面を参照して説明する。
【００２８】
商品陳列棚構造１は、複数本のローラー３ａ、３ｂ、・・と、下部フレーム２と、上部フレーム４と、複数本のフレーム支持体５ａ、５ｂ、・・・とを備えている。以下、本明細書、図面において、複数本のローラー３ａ、３ｂ、・・に関して、参照符号「３」で各ローラーを指し示し、複数本のフレーム支持体５ａ、５ｂ、・・・に関して、参照符号「５」で各フレーム支持体を指し示すことがある。
【００２９】
ローラー３は、それぞれが、横方向（図７、図８における左右方向）に伸びていて当該横方向の両端から当該横方向でそれぞれ突出する回転中心軸８、９を備えている。
【００３０】
下部フレーム２は、この実施形態では、それぞれ同一構造の複数の下部フレーム構造２ａ、２ｂ、２ｃ、２ｄ、２ｅ、・・・、２ｉ、・・・によって構成されている。
【００３１】
各下部フレーム構造２ａ、等は、ローラー３を下側から支持する。
【００３２】
各下部フレーム構造２ａ、等は、横方向に直交する前後方向（図１における左右方向）に伸び、上側が平坦面になっていてローラー３の回転中心軸８、９をそれぞれ下側から支承するローラー支持部６ａ、６ｂを横方向の両端側に備えている。
【００３３】
複数の下部フレーム構造２ａ、２ｅ、２ｉは、ローラー３が伸びている横方向で複数個隣接配置され、これによって、下部フレーム２が構成されている。
【００３４】
図示の実施形態では、ローラー３が伸びている横方向で複数の下部フレーム構造２ａ、２ｅ、２ｉが複数個隣接配置されると共に、横方向に直交する前後方向で下部フレーム構造２ａ、２ｂ、２ｃ、２ｄが複数個隣接配置されて下部フレーム２が構成されている。
【００３５】
本発明の商品陳列棚構造１は、それぞれの前後方向あるいは横方向に複数個の商品陳列棚構造１が隣接して配置され、これらの全体によって、図１１に例示する商品陳列棚を形成するものである。
【００３６】
図１１図示の商品陳列棚では、商品陳列棚構造１の後方側に後方棚部３０が、前方側に前方棚部３２がそれぞれ配置されている。後方棚部３０は横方向に複数個隣接配備されている後方掛止孔３１を備えている。前方棚部３２は横方向に複数個隣接配備されている前方掛止孔３３を備えている。
【００３７】
前後方向に伸びる仕切板３４が横方向にそれぞれ所定の間隔を空けて配備されている。仕切板３４は、前方端の下側及び、後方端の下側にそれぞれ掛止部を備えており、これが、対応する位置に形成されている前方掛止孔３３、後方掛止孔３１に掛止されて、所望の位置に仕切板３４を取り付けることができる。
【００３８】
商品陳列棚の横方向、前後方向の大きさに応じて、ローラー３が伸びている横方向で複数個隣接配置される下部フレーム構造２ａ、２ｅ、２ｉ、等の数が決定され、また、横方向に直交する前後方向で複数個隣接配置される下部フレーム構造２ａ、２ｂ、２ｃ、等の数が決定される。
【００３９】
上部フレーム４は、この実施形態では、それぞれ同一構造の複数の上部フレーム構造４ａ、４ｂ、４ｃ、・・・によって構成されている。
【００４０】
各上部フレーム構造４ａ、等は、各下部フレーム構造２ａ、等に対して上側から装着され、ローラー３の回転中心軸８、９がローラー支持部６ａ、６ｂに回転可能に支持されている箇所及び各下部フレーム構造２ａ、等を上側から覆う構造になっている。
【００４１】
これによって、上部フレーム４が、下部フレーム２に対して上側から装着され、ローラー３の回転中心軸８、９がローラー支持部６ａ、６ｂに回転可能に支持されている箇所及び下部フレーム２を上部フレーム４が上側から覆う構造になっている。
【００４２】
また、各上部フレーム構造４ａ、等は、各下部フレーム構造２ａ、等に対して上側から装着された際に、ローラー支持部６ａ、６ｂに回転可能に支持されているローラー３の周壁面の上側を露出させる開口部１０ａ、１０ｂ、・・・を複数個備えている。以下、本明細書、図面において、開口部１０ａ、１０ｂ、・・・に関して参照符号「１０」で各開口部を指し示すことがある。
【００４３】
これによって、上部フレーム４が下部フレーム２に対して上側から装着された際に、ローラー支持部６ａ、６ｂに回転可能に支持されているローラー３の周壁面の上側を露出させる開口部１０を上部フレーム４が複数個備えている構造になっている。
【００４４】
このような構造によって、前後方向で互いに隣接して複数列配備されると共に、前後方向に直交する横方向で互いに隣接して複数列配備されている複数個のローラー３の間の隙間が、各上部フレーム構造４ａ、等によって閉鎖されるようになる。
【００４５】
フレーム支持体５は、下部フレーム２に対して装着された上部フレーム４と、下部フレーム２とを結合するもので、隣接するフレーム支持体５ａ、５ｂ同士の間に所定の間隔を空けて複数本配備されている。
【００４６】
下部フレーム２を構成する各下部フレーム構造２ａ、等に、ローラー３が、上部フレーム４が備えている複数個の開口部１０に対応する位置で複数個配置されている状態で、下部フレーム２に対して装着された上部フレーム４と、下部フレーム２とが、フレーム支持体５によって上下で結合される。
【００４７】
図１に示す形態では、隣接する下部フレーム構造２ｃ、２ｂの間に隙間１２ｃが形成され、隣接する下部フレーム構造２ｂ、２ａの間に隙間１２ｂが形成されている。
【００４８】
フレーム支持体５ａ、５ｂが備えている支持壁１５ｃ、１５ｂがこれらの隙間１２ｃ、１２ｂに挿入される。
【００４９】
また、上部フレーム４を構成する上部フレーム構造４ｃ、４ｂには、それぞれ、掛止部１４ｃ、１４ｂを備えている部材を、前記隙間１２ｃ、１２ｂに対応する箇所に備えている。
【００５０】
フレーム支持体５ａ、５ｂが備えている支持壁１５ｃ、１５ｂが上述したように、隙間１２ｃ、１２ｂに挿入される際に、フレーム支持体５ａ、５ｂが備えている掛止部１５ｃ´、１５ｂ´と、掛止部１４ｃ、１４ｂとの間で掛止がなされ、上部フレーム４と、下部フレーム２とが、フレーム支持体５によって上下で結合される。
【００５１】
なお、この際、図３図示のように、各下部フレーム構造２ｄ、２ｃが下側に備えている掛止部１２ｃ´と、フレーム支持体５ａ、５ｂが備えている掛止部１５ｃ´´との間でも掛止がなされ、安定した結合が行われる。
【００５２】
図示の実施形態では、掛止部１４ｃ、１４ｂ、１２ｃは溝条で、掛止部１５ｃ´、１５ｂ´、１５ｃ´´はここに挿入される掛止片部になっている。このような組み合わせに限らず、種々の掛止構造が採用可能である。
【００５３】
本実施形態の商品陳列棚構造では、上部フレーム４の上側面の高さ位置は、下部フレーム２によって下側から回転可能に支承されている複数のローラー３の周壁面の上側の高さ位置よりも低く設定されている。
【００５４】
また、横方向で隣接するローラー３同士の間に位置する上部フレーム４の上側面に、ローラー３の周壁面の上側の高さ位置にまで突出する第一突起部１１が形成されている。
【００５５】
図７は、前後方向で隣接する開口部１０の間に位置する上部フレーム４の上側面４ａにも、ローラー支持部６ａ、６ｂに回転可能に支持されているローラー３の周壁面の上側の高さ位置にまで突出する第二突起部１２が形成されている実施形態を示すものである。
【００５６】
図７を参照して、上部フレーム４の上側面４ａとローラー３の周壁面の上側の高さ位置の関係及び、上部フレーム４の上側面４ａに形成されている第一突起部１１、第二突起部１２の先端とローラー３の周壁面の上側の高さ位置の関係を説明する。
【００５７】
実施の形態の商品陳列棚構造１では、下部フレーム２に対して上側から装着された状態の上部フレーム４の上側面４ａの高さ位置は、ローラー支持部６ａ、６ｂに回転可能に支持されているローラー３の周壁面の上側の高さ位置よりも低く設定されている。
【００５８】
また、横方向で隣接するローラー３、３同士の間に位置する上部フレーム４の上側面４ａに、ローラー支持部６ａ、６ｂに回転可能に支持されているローラー３の周壁面の上側の高さ位置にまで突出する第一突起部１１が形成されている。
【００５９】
この実施形態の商品陳列棚構造１では、上述したように、上部フレーム４が、下部フレーム２に対して上側から装着され、ローラー３の回転中心軸８、９がローラー支持部６ａ、６ｂに回転可能に支持されている箇所及び下部フレーム２を上部フレーム４が上側から覆う構造になっている。そこで、図１１に例示したように構成されている商品陳列棚の上を、商品が後方から前方に向かって移動する際に、商品の底面が、ローラー３の回転中心軸８、９がローラー支持部６ａ、６ｂに回転可能に支持されている箇所や、下部フレーム２に接触（摺接）することはない。
【００６０】
そこで、これらの箇所が上部フレーム４によって覆われていない構造に比較して、商品は、スムーズに前後方向で移動することができる。
【００６１】
なお、各ローラー３の回転中心軸８、９は、上側が平坦面になっているローラー支持部６ａ、６ｂによって下側から支承されているので、各ローラー３の回転は滑らかなものになって商品のスムーズな前後方向移動を行うことができる。
【００６２】
更に、この実施形態の商品陳列棚構造１では、上述したように、上部フレーム４の上側面４ａの高さ位置が、ローラー３の周壁面の上側の高さ位置よりも低く設定されている（図７）。そこで、商品陳列棚の上を、商品が後方から前方に向かって移動する際に、商品の底面が、商品陳列棚構造１を構成する上部フレーム４の上側面に全面的に接触（摺接）することがなくなる。
【００６３】
すなわち、商品はその底面を、前後方向で隣接しているローラー３、３の周壁面の上側に接触（摺接）させ、ローラー３、３の回転によってスムーズに前後方向移動を行うことができる。
【００６４】
また、横方向で隣接するローラー３、３同士の間に位置する上部フレーム４の上側面に、ローラー３の周壁面の上側の高さ位置にまで突出する第一突起部１１が形成されている。これにより、商品陳列棚の上を、商品が後方から前方に向かって移動する際に、商品の底面は、横方向で隣接しているローラー同士の間においては、ローラー３の周壁面の上側の高さ位置にまで突出している第一突起部１１に接触することになる。
【００６５】
そこで、横方向で隣接しているローラー３同士の間における商品の後方から前方に向かうスライド移動が、ローラー３の部分での後方から前方に向かう移動から遅れるおそれが小さくなり、スムーズな後方から前方への移動が可能になる。
【００６６】
すなわち、この実施形態による商品陳列棚構造によれば、商品が後方から前方に向かって移動する際に、商品の底面は、主要には、回転可能に支持されていて、前後方向で隣接しているローラー３の周壁面の上側や、横方向で隣接しているローラー３同士の間に位置する上部フレーム４の上側面に形成されていてローラー３の周壁面の上側の高さ位置にまで突出している第一突起部１１に接触することになる。
【００６７】
そこで、スムーズな後方から前方への商品の移動が可能になる。
【００６８】
図５、図６図示の実施形態では、横方向で隣接するローラー３同士の間に位置する上部フレーム４の上側面に形成されていてローラー３の周壁面の上側の高さ位置にまで突出する第一突起部１１は、前後方向に伸びる突条になっている。
【００６９】
これに替えて、複数の突起部が前後方向に隣接して、横方向で隣接するローラー３同士の間に位置する上部フレーム４の上側面４ａに形成されている構造にすることもできる。
【００７０】
図５図示の実施形態では、前後方向で隣接する開口部１０の間に位置する上部フレーム４の上側面４ａに形成されている第二突起部１２は、前後方向に伸びる突条になっている。
【００７１】
これに替えて、複数の突起部が前後方向に隣接して、前後方向で隣接する開口部１０の間に位置する上部フレーム４の上側面４ａに形成されている構造にすることもできる。
【００７２】
図６図示の実施形態では、前後方向で隣接する開口部１０の間に位置する上部フレーム４の上側面４ａに第二突起部１２が形成されていない。
【００７３】
このような構造であっても、上部フレーム４が、下部フレーム２に対して上側から装着され、ローラー３の回転中心軸８、９がローラー支持部６ａ、６ｂに回転可能に支持されている箇所及び下部フレーム２を上部フレーム４が上側から覆っていることから、上述したように、商品は、スムーズに後方から前方へ移動することができる。
【００７４】
特に、前後方向に隣接するローラー３、３の前後方向における間隔が、商品陳列棚に搭載される商品の前後方向長さに比べて小さければ、商品はその底面を、前後方向で隣接しているローラー３、３の周壁面の上側に接触（摺接）させ、ローラー３、３の回転によってスムーズに前後方向移動を行うことができる。
【００７５】
図８〜１０は他の実施形態を説明するものである。
【００７６】
上述した図１〜図７図示の実施形態では、フレーム支持体５は、下部フレーム２の前後方向で所定の間隔をあけて、横方向で隣接している複数個の下部フレーム構造２ａ、２ｂを横断するように下部フレーム２及び上部フレーム４に対して横方向から挿入されていた。
【００７７】
図８〜１０図示の実施形態では、フレーム支持体５５は、横方向で隣接している下部フレーム構造５２ａ、５２ｂ、５２ｃ、５２ｄ、５２ｅ同士の間に位置する下部フレーム５２及び上部フレーム５４に対して前後方向から挿入されている。
【００７８】
下部フレーム５２は、この実施形態では、それぞれ同一構造の複数の下部フレーム構造５２ａ、５２ｂ、５２ｃ、５２ｄ、５２ｅ、によって構成されている。
【００７９】
各下部フレーム構造５２ａ、等は、ローラー３を下側から支持する。
【００８０】
各下部フレーム構造５２ａ、等は、横方向（図８における左右方向）に直交する前後方向に伸び、上側が平坦面になっているローラー支持部５６ａ、５６ｂを横方向の両端側に備えている（図８、図９）。ローラー支持部５６ａ、５６ｂは、その上側の平坦面でローラー３の回転中心軸８、９をそれぞれ下側から支承する。
【００８１】
図１〜図７の実施形態と同様に、所望の数の下部フレーム構造５２ａ、等が、ローラー３が伸びている横方向、及びこれに直交する前後方向で複数個隣接配置され、これによって、下部フレーム５２が構成される。
【００８２】
上部フレーム５４は、各下部フレーム構造５２ａ、等に対して上側から装着され、ローラー３の回転中心軸８、９がローラー支持部５６ａ、５６ｂに回転可能に支持されている箇所及び各下部フレーム構造５２ａ、等を上側から覆う構造になっている。
【００８３】
これによって、上部フレーム５４が、下部フレーム５２に対して上側から装着され、ローラー３の回転中心軸８、９がローラー支持部５６ａ、５６ｂに回転可能に支持されている箇所及び下部フレーム５２を上部フレーム５４が上側から覆う構造になっている。
【００８４】
また、上部フレーム５４は、下部フレーム５２に対して上側から装着された際に、ローラー支持部５６ａ、５６ｂに回転可能に支持されているローラー３の周壁面の上側を露出させる開口部を複数個備えている。
【００８５】
フレーム支持体５５ａ、５５ｂ、５５ｃ、５５ｄ・・・は、下部フレーム５２に対して装着された上部フレーム５４と、下部フレーム５２とを結合するもので、隣接するフレーム支持体５５ａ、５５ｂ同士の間に所定の間隔を空けて複数本配備されている。以下、本明細書、図面において、フレーム支持体５５ａ、５５ｂ、５５ｃ、５５ｄ・・・に関して、参照符号「５５」で各フレーム支持体を指し示すことがある。
【００８６】
下部フレーム５２を構成する各下部フレーム構造５２ａ、等に、ローラー３が、上部フレーム５４が備えている複数個の開口部に対応する位置で複数個配置されている状態で、下部フレーム５２に対して装着された上部フレーム５４と、下部フレーム５２とが、フレーム支持体５５によって結合される。
【００８７】
図８〜図１０に示す形態では、隣接する下部フレーム構造５２ａ、５２ｂの間に隙間６２ｂが形成されている。
【００８８】
フレーム支持体５５ａが備えている支持壁６５ｃがこの隙間６２ｂに挿入される。
【００８９】
また、上部フレーム５４は、隙間６２ｂに対応する箇所に掛止部６４ａを備えている。
【００９０】
フレーム支持体５５ａが備えている支持壁６５ｃが上述したように、隙間６２ｂに挿入される際に、フレーム支持体５５ａが備えている掛止部６５ｃ´と、掛止部６４ａとの間で掛止がなされ、上部フレーム５４と、下部フレーム５２とが、フレーム支持体５５によって上下で結合される。
【００９１】
なお、この際、各下部フレーム構造５２ａ、５２ｂが下側に備えている掛止部６２ｃ´と、フレーム支持体５５ａが備えている掛止部６５ｃ´´との間でも掛止がなされ、安定した結合が行われる。
【００９２】
図示の実施形態では、掛止部６４ａ、６２ｃ´は溝条で、掛止部６５ｃ´、６５ｃ´´はここに挿入される掛止片部になっている。このような組み合わせに限らず、種々の掛止構造が採用可能である。
【００９３】
この実施形態の商品陳列棚構造でも、図１０図示のように、上部フレーム５４の上側面５４ａの高さ位置は、下部フレーム５２によって下側から回転可能に支承されている複数のローラー３の周壁面の上側の高さ位置よりも低く設定されている。
【００９４】
また、横方向で隣接するローラー３同士の間に位置する上部フレーム５４の上側面５４ａに、ローラー３の周壁面の上側の高さ位置にまで突出する第一突起部６１が形成されている。
【００９５】
このような構造によって発揮される機能は図１〜図７の実施形態と同様であるので説明を省略する。
【００９６】
上述したいずれの実施形態においても上部フレーム４、５４は、フレーム支持体５、５５の上端側と掛合する掛止部１４ｂ、１４ｃ、６４ａ、６４ｂ、６４ｃを備えている。
【００９７】
一方、フレーム支持体５、５５の上端側には、上部フレーム４、５４の掛止部１４ｂ、６４ａなどと掛合する掛止部１５ｂ´、１５ｃ´、６５ｃ´が配備されている。
【００９８】
更に、フレーム支持体５、５５の下端側には、下部フレーム２、５２を構成する下部フレーム構造２ａ、５２ａなどの下端側と掛合する掛止部１５ｃ´´、６５ｃ´´が配備されている。
【００９９】
ここで、フレーム支持体５、５５の下端側が備えている掛止部１５ｃ´´、６５ｃ´´が掛合する下部フレーム構造２ａ、５２ａなどの下端側に配備されている掛止部１２ｃ´、６２ｃ´は、下部フレーム構造２ａ、５２ａなどの前後方向において、あるいは横方向において隣接している下部フレーム構造２ａ、５２ａが備えているものである。
【０１００】
そこで、上部フレーム４、５４と、下部フレーム２、５２を構成する下部フレーム構造２ａ、５２ａなどとが、フレーム支持体５、５５によって上下方向で結合されると同時に、下部フレーム２、５２の前後方向において、あるいは横方向において、下部フレーム２、５２を構成する、隣接している下部フレーム構造２ａ、５２ａ同士がフレーム支持体５、５５によって前後方向で、あるいは、横方向で結合されることになる。
【０１０１】
これによって、強度、剛性、耐性などの特性が向上している商品陳列棚構造を簡単に提供することができる。
【０１０２】
また、前述した掛止部による掛合は、上部フレーム４及び下部フレーム２に対して横方向からフレーム支持体５を挿入することによって、あるいは、上部フレーム５４及び下部フレーム５２に対して前後方向からフレーム支持体５５を挿入することによって実現される。
【０１０３】
そこで、簡単に商品陳列棚構造１を組み立てることができる。また、必要に応じて、上部フレーム４、５４や、所望の箇所の上部フレーム構造４ａ、等、また、下部フレーム構造２ａ、５２ａ、等を簡単に取り換えることができる。このため、清掃時、取り換え時などにおける取扱性が向上している商品陳列棚構造を提供することができる。
【０１０４】
上述したいずれの実施形態においても下部フレーム構造２ａ、５２ａなどからなる下部フレーム２、５２、上部フレーム構造４ａ、５４ａなどからなる上部フレーム４、５４やローラー３は合成樹脂製にすることができる。
【０１０５】
一方、フレーム支持体５、５５は、金属製、例えば、アルミニウム製にすることができる。
【０１０６】
上下で組み合わされている合成樹脂製の下部フレーム２、５２と、上部フレーム４、５４とが、アルミニウム製のフレーム支持体５、５５で結合されていることにより、強度、剛性、耐性などの特性が向上している商品陳列棚構造を提供することができる。
【０１０７】
以上、添付図面を参照して本発明の好ましい実施形態を説明したが、本発明はかかる実施形態に限定されるものではなく、特許請求の範囲の記載から把握される技術的範囲において種々に変更可能である。
【符号の説明】
【０１０８】
１    商品陳列棚構造
３、３ａ、３ｂ、・・    ローラー
２    下部フレーム
４    上部フレーム
５、５ａ、５ｂ、・・・  フレーム支持体
８、９    回転中心軸
２ａ、２ｂ、２ｃ、２ｄ、２ｅ、・・・、２ｉ、・・・  下部フレーム構造
６ａ、６ｂ    ローラー支持部
４ａ、４ｂ、４ｃ、・・・    上部フレーム構造
１０、１０ａ、１０ｂ、・・・    開口部
１１    第一突起部
１２    第二突起部
５２ａ、５２ｂ、５２ｃ、５２ｄ、５２ｅ    下部フレーム構造
５２    下部フレーム
５４    上部フレーム
５６ａ、５６ｂ    ローラー支持部
６１    第一突起部
【図１】
0006529740.tif 000002
【図２】
0006529740.tif 000003
【図３】
0006529740.tif 000004
【図４】
0006529740.tif 000005
【図５】
0006529740.tif 000006
【図６】
0006529740.tif 000007
【図７】
0006529740.tif 000008
【図８】
0006529740.tif 000009
【図９】
0006529740.tif 000010
【図１０】
0006529740.tif 000011
【図１１】
0006529740.tif 000012